(57)【要約】  本開示にかかる記録再生装置は、マガジン１１に設けられたＲＦタグ１３からマガジン識別情報及び容量情報を取得するリーダライタ５と、光ディスク１２に記録されたコンテンツ情報とリーダライタ５が取得したマガジン識別情報及び容量情報とを互いに関連付けて記憶する情報記憶部６と、リーダライタ５が取得した容量情報と情報記憶部６に記憶された容量情報とを比較する情報比較部７とを備え、情報比較部７により比較した容量情報が一致するとき、情報記憶部６に記憶されたコンテンツ情報を表示部９に表示させ、情報比較部７により比較した容量情報が異なるとき、ドライブ４を制御して光ディスク１２からコンテンツ情報を読み取り、当該読み取ったコンテンツ情報を表示部９に表示させる。
2014054216.tif 000002
【特許請求の範囲】
【請求項１】
光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が異なるとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置。
【請求項２】
前記制御部は、前記情報比較部により比較した容量情報が異なるとき、前記記録再生部を制御して前記情報取得部が取得したマガジン識別情報に対応するマガジンの光ディスクから容量情報及びコンテンツ情報を読み取り、前記情報記憶部に記憶される容量情報及びコンテンツ情報を、前記記録再生部が読み取った容量情報及びコンテンツ情報に更新する、請求項１に記載の記録再生装置。
【請求項３】
前記光ディスクには、当該光ディスクを収納するマガジンの個体識別情報記憶部に記憶された情報と同じ情報が記録されている、請求項１又は２に記載の記録再生装置。
【請求項４】
前記制御部は、前記情報取得部が前記マガジン識別情報及び前記容量情報の取得に失敗したとき、前記記録再生部を制御して前記取得に失敗したマガジン識別情報に対応するマガジンの光ディスクからコンテンツ情報を読み取り、当該読み取ったコンテンツ情報を前記表示部に表示させる、請求項３に記載の記録再生装置。
【請求項５】
前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報及び容量情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部を制御して前記取得に失敗したマガジン識別情報に対応するマガジンの光ディスクからコンテンツ情報を読み取り、当該読み取ったコンテンツ情報を前記表示部に表示させる、請求項３に記載の記録再生装置。
【請求項６】
前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報、容量情報、及びコンテンツ情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部が読み取ったコンテンツ情報を前記表示部に表示させるとともに、前記情報記憶部に記憶される容量情報及びコンテンツ情報を、前記記録再生部が読み取った容量情報及びコンテンツ情報に更新する、
請求項３に記載の記録再生装置。
【請求項７】
前記マガジンには、前記光ディスクが複数枚収納され、
前記複数枚の光ディスクには、それぞれ、当該複数枚の光ディスクを収納するマガジンの個体識別情報記憶部に記憶された情報と同じ情報が記録されている、
請求項３〜６のいずれか１つに記載の記録再生装置。
【請求項８】
前記個体識別情報記憶部は、前記記録再生部により前記光ディスクに対してデータが記録された時刻情報をさらに記憶し、
前記情報取得部は、前記個体識別情報記憶部から前記マガジン識別情報、前記容量情報、及び時刻情報を取得し、
前記情報記憶部は、前記光ディスクに記録されたコンテンツ情報と、当該光ディスクを収納するマガジンの個体識別情報記憶部から前記情報取得部が取得したマガジン識別情報、容量情報、及び時刻情報とを互いに関連付けて記憶し、
前記情報比較部は、前記情報取得部が取得した容量情報及び時刻情報と、当該情報取得部が取得したマガジン識別情報と同じマガジン識別情報に関連付けられて前記情報記憶部に記憶された容量情報及び時刻情報とを比較し、
前記制御部は、
前記情報比較部により比較した容量情報及び時刻情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報又は時刻情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させる、
請求項１に記載の記録再生装置。
【発明の詳細な説明】
【技術分野】
【０００１】
本開示は、ＣＤ、ＤＶＤ、ＢＤなどの光ディスクに記録されたコンテンツに関する情報（以下、コンテンツ情報という）を参照することができる記録再生装置に関する。
【背景技術】
【０００２】
従来、この種の記録再生装置としては、例えば、特許文献１（特開２００５−３０２１３５号公報）に開示された装置が知られている。【０００３】
特許文献１には、光ディスクに固有に割り当てられた媒体識別子を含む媒体情報を記憶するＩＣタグを備える光ディスクが開示されている。また、特許文献１には、前記ＩＣタグに記憶された媒体情報から媒体識別子を取得する媒体情報取得部と、光ディスクに記録されたコンテンツ情報を媒体識別子に関連付けして記憶するコンテンツリスト記憶部と、当該コンテンツリスト記憶部から媒体情報取得部が取得した媒体識別子に対応するコンテンツ情報を検索する検索部と、検索部による検索結果を表示部に表示させる表示制御部とを備える記録再生装置が開示されている。【０００４】
この特許文献１の記録再生装置によれば、ＩＣタグに記憶された媒体識別子を媒体情報取得部に取得させることにより、光ディスクをドライブ（光ディスクに対して記録又は再生を行う装置）に挿入することなく、当該光ディスクに記録されたコンテンツ情報を参照することができる。
【先行技術文献】
【特許文献】
【０００５】
【特許文献１】特開２００５−３０２１３５号公報
【発明の概要】
【発明が解決しようとする課題】
【０００６】
しかしながら、特許文献１の記録再生装置では、コンテンツリスト記憶部に記憶されたコンテンツ情報を表示部に表示するものであるので、表示部に表示されるコンテンツ情報が正しくない場合がある。例えば、光ディスクが他の記録再生装置で使用されて、当該光ディスクのコンテンツ情報が更新されていた場合には、当該更新されたコンテンツ情報がコンテンツリスト記憶部に記憶されていないので、正しいコンテンツ情報（更新されたコンテンツ情報）を参照することができない。【０００７】
一方、本出願人により、光ディスクを収納する複数のマガジンを備え、当該複数のマガジンのいずれか１つから光ディスクを取り出して任意のドライブに搬送し、当該光ディスクに対して記録又は再生を行う記録再生装置が検討されている。この記録再生装置によれば、マガジンの数や当該マガジンに収納される光ディスクの数を増加させることによりデータ容量を高容量化することができる。【０００８】
このような構成を有する記録再生装置においては、特に、１台の記録再生装置内に収納される光ディスクの数が多くなるため、正しいコンテンツ情報を参照できないことは大きなデメリットとなる。【０００９】
本開示は、光ディスクに記録された正しいコンテンツ情報を参照することができる記録再生装置を提供する。
【課題を解決するための手段】
【００１０】
本開示における記録再生装置は、光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させるように構成されている。
【発明の効果】
【００１１】
本開示の記録再生装置によれば、光ディスクに記録された正しいコンテンツ情報を参照することができる。
【図面の簡単な説明】
【００１２】
本開示のこれらと他の目的と特徴は、添付された図面についての好ましい実施形態に関連した次の記述から明らかになる。この図面においては、
【図１】図１は、本開示の第１実施形態にかかる記録再生装置の構成を示す模式図であり、
【図２】図２は、図１の記録再生装置が備えるマガジンの構成を示す模式図であり、
【図３】図３は、図１の記録再生装置が備えるマガジンのＲＦタグに記憶された情報の一例を示す図であり、
【図４】図４は、図１の記録再生装置が備える情報記憶部に記憶された情報の一例を示す図であり、
【図５】図５は、図１の記録再生装置が備える情報記憶部に記憶された情報の他の例を示す図であり、
【図６】図６は、図１の記録再生装置におけるコンテンツ情報参照動作を示すフローチャートであり、
【図７】図７は、本開示の第２実施形態にかかる記録再生装置のマガジンの構成を示す模式図であり、
【図８】図８は、図７の記録再生装置におけるコンテンツ情報参照動作を示すフローチャートであり、
【図９】図９は、供給部がマガジン内の複数枚の光ディスクをそれぞれ別々のドライブに供給する様子を示す模式図であり、
【図１０】図１０は、供給部が複数枚の光ディスクを１枚ずつドライブに供給する様子を示す模式図であり、
【図１１】図１１は、図７の記録再生装置におけるコンテンツ情報参照動作の変形例を示すフローチャートであり、
【図１２】図１２は、クラウド・コンピューティング・システムを利用して記録再生装置の制御を行う場合のシステムの構成の一例を示す構成図である。
【発明を実施するための形態】
【００１３】
本開示の第１態様によれば、光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置を提供する。
【００１４】
本開示の第２態様によれば、前記制御部は、前記情報比較部により比較した容量情報が一致しないとき、前記記録再生部を制御して前記情報取得部が取得したマガジン識別情報に対応するマガジンの光ディスクから容量情報及びコンテンツ情報を読み取り、前記情報記憶部に記憶される容量情報及びコンテンツ情報を、前記記録再生部が読み取った容量情報及びコンテンツ情報に更新する、第１態様に記載の記録再生装置を提供する。
【００１５】
本開示の第３態様によれば、前記光ディスクには、当該光ディスクを収納するマガジンの個体識別情報記憶部に記憶された情報と同じ情報が記録されている、第１又は２態様に記載の記録再生装置を提供する。
【００１６】
本開示の第４態様によれば、前記制御部は、前記情報取得部が前記マガジン識別情報及び前記容量情報の取得に失敗したとき、前記記録再生部を制御して前記取得に失敗したマガジン識別情報に対応するマガジンの光ディスクからコンテンツ情報を読み取り、当該読み取ったコンテンツ情報を前記表示部に表示させる、第３態様に記載の記録再生装置を提供する。
【００１７】
本開示の第５態様によれば、前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報及び容量情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部を制御して前記取得に失敗したマガジン識別情報に対応するマガジンの光ディスクからコンテンツ情報を読み取り、当該読み取ったコンテンツ情報を前記表示部に表示させる、第３態様に記載の記録再生装置を提供する。
【００１８】
本開示の第６態様によれば、前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報、容量情報、及びコンテンツ情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部が読み取ったコンテンツ情報を前記表示部に表示させるとともに、前記情報記憶部に記憶される容量情報及びコンテンツ情報を、前記記録再生部が読み取った容量情報及びコンテンツ情報に更新する、
第３態様に記載の記録再生装置を提供する。
【００１９】
本開示の第７態様によれば、前記マガジンには、前記光ディスクが複数枚収納され、
前記複数枚の光ディスクには、それぞれ、当該複数枚の光ディスクを収納するマガジンの個体識別情報記憶部に記憶された情報と同じ情報が記録されている、
第３〜６態様のいずれか１つに記載の記録再生装置を提供する。
【００２０】
本開示の第８態様によれば、前記個体識別情報記憶部は、前記記録再生部により前記光ディスクに対してデータが記録された時刻情報をさらに記憶し、
前記情報取得部は、前記個体識別情報記憶部から前記マガジン識別情報、前記容量情報、及び時刻情報を取得し、
前記情報記憶部は、前記光ディスクに記録されたコンテンツ情報と、当該光ディスクを収納するマガジンの個体識別情報記憶部から前記情報取得部が取得したマガジン識別情報、容量情報、及び時刻情報とを互いに関連付けて記憶し、
前記情報比較部は、前記情報取得部が取得した容量情報及び時刻情報と、当該情報取得部が取得したマガジン識別情報と同じマガジン識別情報に関連付けられて前記情報記憶部に記憶された容量情報及び時刻情報とを比較し、
前記制御部は、
前記情報比較部により比較した容量情報及び時刻情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報又は時刻情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させる、
第１態様に記載の記録再生装置を提供する。
【００２１】
本発明の記述を続ける前に、添付図面において同じ部品については同じ参照符号を付している。
【００２２】
以下、本開示の実施形態にかかる記録再生装置について図面を参照しながら説明する。
【００２３】
（第１実施形態）
本開示の第１実施形態にかかる記録再生装置について説明する。図１は、本第１実施形態にかかる記録再生装置の構成を示す模式図である。図２は、図１の記録再生装置が備えるマガジンの構成を示す模式図である。
【００２４】
図１に示すように、本第１実施形態にかかる記録再生装置１は、複数のマガジン１１を収納するマガジンストッカー２を備えている。
【００２５】
各マガジン１１は、図２に示すように、複数枚（例えば、１２枚）の光ディスク１２を収納可能に構成されている。本第１実施形態において、光ディスク１２は、書き換え型の記録方式でデータを記録可能な記録媒体（例えば、ＢＤ−ＲＥ）である。マガジン１１は、収納する光ディスク１２の枚数分の記録容量を備えた記録媒体とも言い得る。マガジンストッカー２が収納するマガジン１１の数が増加するほど、記録再生装置１が高容量化することになる。
【００２６】
マガジン１１に収納された複数枚の光ディスク１２は、供給部３により、光ディスク１２に対してデータの記録又は再生を行う記録再生部の一例である複数台（例えば、１２台）のドライブ４に供給される。供給部３は、マガジンストッカー２に収納されたマガジン１１から複数枚の光ディスク１２を取り出し、当該複数枚の光ディスク１２をそれぞれ別々のドライブ４に供給する。
【００２７】
また、各マガジン１１には、個体識別情報記憶部の一例であるＲＦタグ１３が取り付けられている。ＲＦタグ１３とは、非接触で情報の書き込みと読み取りが可能なＩＣタグである。ＲＦタグ１３には、図３に示すように、マガジン識別情報と、容量情報の一例である空き容量情報と、時刻情報とが記憶されている。ここで、マガジン識別情報とは、マガジン１１を識別するための媒体識別情報をいう。また、空き容量情報とは、マガジン１１内の複数枚の光ディスク１２にデータを追加で記録可能な容量の情報をいう。また、時刻情報とは、マガジン１１内の複数枚の光ディスク１２にデータが最後に記録された時刻の情報をいう。
【００２８】
供給部３には、各マガジン１１のＲＦタグ１３に記憶されたマガジン識別情報、空き容量情報、及び時刻情報を取得する情報取得部の一例であるリーダライタ５が設けられている。リーダライタ５は、ＲＦタグ１３に各種情報を書き込むこともできるものである。リーダライタ５が取得した各種情報は、図４及び図５に示すように、ＲＦタグ１３が取り付けられたマガジン１１内の複数枚の光ディスク１２に記録されたコンテンツ情報（例えば、ＡＶデータのタイトルを示す情報）と関連付けられて、情報記憶部６に記憶される。言い換えれば、情報記憶部６は、マガジン１１内の複数枚の光ディスク１２に記録されたコンテンツ情報と、当該マガジン１１のＲＦタグ１３からリーダライタ５が取得した各種情報とを互いに関連付けて記憶する。以下、マガジン識別情報に関連付けられて情報記憶部６に記憶される情報をエントリという。
【００２９】
また、記録再生装置１には、リーダライタ５が取得した空き容量情報及時刻情報と、リーダライタ５が取得したマガジン識別情報と同じマガジン識別情報に関連付けられて情報記憶部６に記憶された空き容量情報及び時刻情報とを比較する情報比較部７が設けられている。情報比較部７の比較結果は、制御部８に入力される。制御部８は、情報比較部７の比較に応じて、コンテンツ情報を含む各種情報を表示する表示部９を制御する。
【００３０】
また、制御部８は、例えば、データを管理するホストコンピュータに接続されている。ホストコンピュータは、オペレータの指示に基づき、指定のマガジン１１内の光ディスク１２へのデータの書き込み又は読み出し等の動作を行うように制御部８に指令を送る。制御部８は、当該指令に従い、供給部３、ドライブ４、表示部９などの各装置の動作を制御する。
【００３１】
次に、本開示の第１実施形態にかかる記録再生装置１において、マガジン１１内の光ディスク１２に記録されたコンテンツ情報を参照するときの動作（以下、コンテンツ情報参照動作）について説明する。
【００３２】
図６は、本開示の第１実施形態にかかる記録再生装置におけるコンテンツ情報参照動作を示すフローチャートである。ここでは、ユーザが、マガジンストッカー２に収納された複数のマガジンの中から、コンテンツ情報を参照したい光ディスク１２を収納するマガジン１１（以下、任意のマガジンという）を選択（指定）したところから説明を開始する。なお、記録再生装置１の各部の動作は、制御部８の制御の下で行われる。
【００３３】
ステップＳＴ１では、リーダライタ５が、任意のマガジン１１に設けられたＲＦタグ１３からマガジン識別情報、空き容量情報、及び時刻情報を取得する。
【００３４】
ステップＳＴ２では、情報比較部７が、リーダライタ５が取得したマガジン識別情報と同じマガジン識別情報を有するエントリを情報記憶部６から検索する。
【００３５】
ステップＳＴ３では、リーダライタ５が取得したマガジン識別情報と同じマガジン識別情報を有するエントリが存在するか否かを判断する。当該エントリが存在しない場合、ステップＳＴ４に進み、当該エントリが存在する場合、ステップＳＴ７に進む。例えば、リーダライタ５が取得したマガジン識別情報がＸＹＺＷである場合（図３参照）、情報記憶部６にはマガジン識別情報がＸＹＺＷであるエントリが存在するので（図４又は図５参照）、ステップＳＴ７に進む。
【００３６】
ステップＳＴ４では、供給部３が、任意のマガジン１１から複数枚の光ディスク１２を取り出し、当該複数枚の光ディスク１２をそれぞれ別々のドライブ４に供給する。
【００３７】
ステップＳＴ５では、各ドライブ４が、それぞれ供給された光ディスク１２からマガジン識別情報、空き容量情報、時刻情報、及びコンテンツ情報を読み取る。
【００３８】
ステップＳＴ６では、情報記憶部６が、ステップＳＴ５にて各ドライブ４が読み取ったマガジン識別情報、空き容量情報、時刻情報、及びコンテンツ情報を互いに関連付けて記憶する。すなわち、情報記憶部６が、任意のマガジン１１に対応するエントリを新規に作成し記憶する。なお、情報記憶部６がエントリを新規に記憶するときは、通常、マガジン１１内の光ディスク１２に何らデータが記録されていないときと考えられる。この場合、新規なエントリのコンテンツ情報の欄は空欄となる（例えば、図４又は図５のマガジン識別情報がＡＢＣＤであるエントリを参照）。ステップＳＴ６の終了後、ステップＳＴ１１に進む。
【００３９】
ステップＳＴ７では、情報比較部７が、リーダライタ５が取得した空き容量情報及び時刻情報と、リーダライタ５が取得したマガジン識別情報と同じマガジン識別情報に関連付けられて情報記憶部６に記憶された空き容量情報及び時刻情報とを比較する。情報比較部７により比較した空き容量情報又は時刻情報が一致しないとき、ステップＳＴ８に進み、情報比較部７により比較した空き容量情報及び時刻情報が一致するとき、ステップＳＴ１１に進む。例えば、リーダライタ５が取得した各種情報が図３に示すものであり、情報記憶部６に記憶された情報が図４に示すものであるとき、空き容量情報及び時刻情報が一致しないので、ステップＳＴ８に進む。一方、リーダライタ５が取得した各種情報が図３に示すものであり、情報記憶部６に記憶された情報が図５に示すものであるとき、空き容量情報及び時刻情報が一致するので、ステップＳＴ１１に進む。
【００４０】
ステップＳＴ８では、供給部３が、任意のマガジン１１から複数枚の光ディスク１２を取り出し、当該複数枚の光ディスク１２をそれぞれ別々のドライブ４に供給する。
【００４１】
ステップＳＴ９では、各ドライブ４が、それぞれ供給された光ディスク１２からマガジン識別情報、空き容量情報、時刻情報、及びコンテンツ情報を読み取る。
【００４２】
ステップＳＴ１０では、情報記憶部６が、ステップＳＴ９にて各ドライブ４が読み取ったマガジン識別情報、空き容量情報、時刻情報、及びコンテンツ情報を互いに関連付けて記憶する。すなわち、情報記憶部６が、記憶している任意のマガジン１１に対応するエントリを更新する。ステップＳＴ１０の終了後、ステップＳＴ１１に進む。
【００４３】
ステップＳＴ１１では、表示部９がコンテンツ情報を表示する。すなわち、ステップＳＴ３にてリーダライタ５が取得したマガジン識別情報と同じマガジン識別情報を有するエントリが存在しなかった場合、ステップＳＴ５にて各ドライブ４が読み取ったコンテンツ情報を表示部９が表示する。また、ステップＳＴ７にて情報比較部７により比較した容量情報及び時刻情報が一致するとき、ステップＳＴ２にてリーダライタ５が取得したマガジン識別情報と同じマガジン識別情報を有するエントリのコンテンツ情報を表示部９が表示する。また、ステップＳＴ７にて情報比較部７により比較した容量情報及び時刻情報が一致しないとき、ステップＳＴ９にて各ドライブ４が読み取ったコンテンツ情報を表示部９が表示する。これにより、ユーザは、任意のマガジン１１内の光ディスク１２に記録されたコンテンツ情報を参照することができる。
【００４４】
本第１実施形態にかかる記録再生装置１は、リーダライタ５が取得した容量情報及び時刻情報と、リーダライタ５が取得したマガジン識別情報と同じマガジン識別情報に関連付けられて情報記憶部６に記憶された容量情報及び時刻情報とを比較する情報比較部７を備えている。例えば、任意のマガジン１１内の光ディスク１２に記録されたコンテンツ情報が他の記録再生装置により更新されている場合、情報比較部７により比較した容量情報及び時刻情報は一致しない。このため、本第１実施形態にかかる記録再生装置１では、情報比較部７により比較した容量情報及び時刻情報が一致しないとき、ドライブ４を制御して情報取得部５が取得したマガジン識別情報に対応するマガジン１１の光ディスク１２からコンテンツ情報を読み取り、当該読み取ったコンテンツ情報を表示部９に表示させるようにしている。これにより、任意のマガジン１１内の光ディスク１２に記録されたコンテンツ情報が他の記録再生装置により更新されている場合であっても、光ディスク１２に記録された正しいコンテンツ情報を参照することが可能になる。
【００４５】
また、任意のマガジン１１内の光ディスク１２に記録されたコンテンツ情報が他の記録再生装置により更新されていない場合、情報比較部７により比較した容量情報及び時刻情報は一致する。このため、本第１実施形態にかかる記録再生装置１では、情報比較部７により比較した容量情報及び時刻情報が一致するとき、情報取得部７が取得したマガジン識別情報と同じマガジン識別情報に関連付けられて情報記憶部６に記憶されたコンテンツ情報を表示部９に表示させるようにしている。これにより、光ディスク１２に記録された正しいコンテンツ情報を参照することを迅速に行うことができる。
【００４６】
なお、ステップＳＴ５又はステップＳＴ９にて各ドライブ４が読み取ったマガジン識別情報、空き容量情報、及び時刻情報とは、リーダライタ５により任意のマガジン１１のＲＦタグ１３に書き込まれる。すなわち、リーダライタ５により任意のマガジン１１のＲＦタグ１３の各種情報が更新される。これにより、任意のマガジン１１のＲＦタグ１３は、正しい情報を記憶することになる。なお、リーダライタ５により任意のマガジン１１のＲＦタグ１３の各種情報を更新するタイミングは、情報記憶部６に記憶されたエントリを更新（又は新規作成）するタイミングと同時期であっても、異なっていてもよい。
【００４７】
《第２実施形態》
本開示の第２実施形態にかかる記録再生装置について説明する。図７は、本第２実施形態にかかる記録再生装置のマガジンの構成を示す模式図である。本第２実施形態にかかる記録再生装置が前記第１実施形態にかかる記録再生装置と異なる点は、複数枚の光ディスク１２のそれぞれに、当該複数枚の光ディスク１２を収納するマガジン１１のＲＦタグ１３に記憶された情報と同じ情報が記録されている点である。図７の領域１４は、ＲＦタグ１３に記憶された情報と同じ情報が記録された領域である。
【００４８】
光ディスク１２のデータ保証期間は、通常５０年である。一方、ＲＦタグ１３のデータ保証期間は、通常１０年である。すなわち、光ディスク１２に記憶されたデータよりも早く、ＲＦタグ１３に記憶されたデータが消えてしまう（あるいは、異なる値に化けてしまう）。このため、光ディスク１２に対して記録又は再生可能であるときに、リーダライタ５がＲＦタグ１３の各種情報の取得に失敗することが起こり得る。このような場合、ＣＲＣエラーが発生する。従来の記録再生装置においてＣＲＣエラーが発生した場合には、装置全体の動作を停止させることが通常である。この場合、光ディスク１２のコンテンツ情報を参照することができない。
【００４９】
これに対して、本第２実施形態にかかる記録再生装置においては、ＣＲＣエラーが発生した場合であっても、以下のコンテンツ情報参照動作を行うようにしている。図８は、本第２実施形態にかかる記録再生装置におけるコンテンツ情報参照動作を示すフローチャートである。
【００５０】
ステップＳＴ１０１では、リーダライタ５が、任意のマガジン１１に設けられたＲＦタグ１３からマガジン識別情報、空き容量情報、及び時刻情報を取得する。
【００５１】
ステップＳＴ１０２では、リーダライタ５によるＲＦタグ１３からの各種情報の取得に際して、ＣＲＣエラーが発生したか否か判断する。ＣＲＣエラーが発生した場合には、ステップＳＴ１０３に進み、ＣＲＣエラーが発生していない場合には、ステップＳＴ１０５に進む。
【００５２】
ステップＳＴ１０３では、供給部３が、任意のマガジン１１から複数枚の光ディスク１２を取り出し、当該複数枚の光ディスク１２をそれぞれ別々のドライブ４に供給する。
【００５３】
ステップＳＴ１０４では、各ドライブ４が、それぞれ供給された光ディスク１２からマガジン識別情報、空き容量情報、及び時刻情報（ＲＦタグ１３に記憶される情報と同じ情報）を読み取る。
【００５４】
ステップＳＴ１０５では、情報比較部７が、各ドライブ４またはリーダライタ５が読み取ったマガジン識別情報と同じマガジン識別情報を有するエントリを情報記憶部６から検索する。
【００５５】
ステップＳＴ１０６では、各ドライブ４またはリーダライタ５が取得したマガジン識別情報と同じマガジン識別情報を有するエントリが存在するか否かを判断する。当該エントリがしない場合、ステップＳＴ１０７に進み、当該エントリが存在する場合、ステップＳＴ１１１に進む。例えば、各ドライブ４が読み取ったマガジン識別情報がＸＹＺＷである場合（図３参照）、情報記憶部６にはマガジン識別情報がＸＹＺＷであるエントリが存在するので（図４又は図５参照）、ステップＳＴ１１１に進む。
【００５６】
ステップＳＴ１０７では、各ドライブ４に光ディスク１２が供給されたか否かを判断する。すなわち、ステップＳＴ１０３が行われたか否かを判断する。各ドライブ４に光ディスク１２が供給されていない場合は、ステップＳＴ１０８に進み、各ドライブ１０４に既に光ディスク１２が供給されている場合は、ステップＳＴ１０９に進む。
【００５７】
ステップＳＴ１０８では、供給部３が、任意のマガジン１１から複数枚の光ディスク１２を取り出し、当該複数枚の光ディスク１２をそれぞれ別々のドライブ４に供給する。
【００５８】
ステップＳＴ１０９では、各ドライブ４が、それぞれ供給された光ディスク１２からマガジン識別情報、空き容量情報、時刻情報、及びコンテンツ情報を読み取る。なお、ステップＳＴ１０３が行われ、ステップＳＴ１０４にて各ドライブ４に供給された光ディスク１２からマガジン識別情報、空き容量情報、及び時刻情報を既に読み取っている場合（ステップＳＴ１０７のＹＥＳの場合）は、それらの情報の読み取りを省略してもよい。
【００５９】
ステップＳＴ１１０では、情報記憶部６が、ステップＳＴ１０９にて各ドライブ４が読み取ったマガジン識別情報、空き容量情報、時刻情報、及びコンテンツ情報を互いに関連付けて記憶する。すなわち、情報記憶部６が、任意のマガジン１１に対応するエントリを新規に作成し記憶する。ステップＳＴ１１０の終了後、ステップＳＴ１１８に進む。
【００６０】
ステップＳＴ１１１では、情報比較部７が、リーダライタ５又は各ドライブ４が取得した空き容量情報及び時刻情報と、リーダライタ５又は各ドライブ４が取得したマガジン識別情報と同じマガジン識別情報に関連付けられて情報記憶部６に記憶された空き容量情報及び時刻情報とを比較する。情報比較部７により比較した空き容量情報及び時刻情報が一致しないとき、ステップＳＴ１１２に進み、情報比較部７により比較した空き容量情報及び時刻情報が一致するとき、ステップＳＴ１１８に進む。
【００６１】
ステップＳＴ１１２では、任意のマガジン１１内の光ディスク１２からマガジン識別情報、空き容量情報、及び時刻情報（ＲＦタグ１３に記憶される情報と同じ情報）を読取済みであるか否かを判断する。すなわち、ステップＳ１０４が行われたか否かを判断する。各種情報を読取済みでないとき、ステップＳ１１３に進み、各種情報を読取済みであるとき、ＳＴ１１６に進む。
【００６２】
ステップＳＴ１１３では、供給部３が、任意のマガジン１１から複数枚の光ディスク１２を取り出し、当該複数枚の光ディスク１２をそれぞれ別々のドライブ４に供給する。
【００６３】
ステップＳＴ１１４では、各ドライブ４が、それぞれ供給された光ディスク１２からマガジン識別情報、空き容量情報、時刻情報、及びコンテンツ情報を読み取る。
【００６４】
ステップＳＴ１１５では、情報記憶部６が、ステップＳＴ１１４にて各ドライブ４が読み取ったマガジン識別情報、空き容量情報、時刻情報、及びコンテンツ情報を互いに関連付けて記憶する。すなわち、情報記憶部６が、記憶している任意のマガジン１１に対応するエントリを更新する。ステップＳＴ１１５の終了後、ステップＳＴ１１８に進む。
【００６５】
ステップＳＴ１１６では、各ドライブ４が、ステップＳＴ１０３にてそれぞれ供給された光ディスク１２からコンテンツ情報（残りの情報）を読み取る。
【００６６】
ステップＳＴ１１７では、情報記憶部６が、ステップＳＴ１０４にて各ドライブ４が読み取ったマガジン識別情報、空き容量情報、及び時刻情報と、ステップＳＴ１１６にて各ドライブ４が読み取ったコンテンツ情報とを互いに関連付けて記憶する。すなわち、情報記憶部６が、記憶している任意のマガジン１１に対応するエントリを更新する。ステップＳＴ１１７の終了後、ステップＳＴ１１８に進む。
【００６７】
ステップＳＴ１１８では、表示部９が、ステップＳＴ１０１にてリーダライタ５が取得したマガジン識別情報と同じマガジン識別情報を有するエントリのコンテンツ情報、あるいは、ステップＳＴ１０９、ステップＳＴ１１４、又はステップＳＴ１１６にて各ドライブ４が読み取ったコンテンツ情報を表示する。これにより、ユーザは、任意のマガジン１１内の光ディスク１２に記憶されたコンテンツ情報を参照することができる。
【００６８】
なお、ステップＳＴ１０４、ステップＳＴ１０９、又はステップＳＴ１１４にて各ドライブ４が読み取ったマガジン識別情報、空き容量情報、及び時刻情報は、リーダライタ５により任意のマガジン１１のＲＦタグ１３及び各光ディスク１２に書き込まれる。すなわち、リーダライタ５により任意のマガジン１１のＲＦタグ１３及び各光ディスク１２の各種情報が更新される。これにより、任意のマガジン１１のＲＦタグ１３及び各光ディスク１２は、正しい情報を記憶することになる。なお、リーダライタ５により任意のマガジン１１のＲＦタグ１３及び各光ディスク１２の各種情報を更新するタイミングは、情報記憶部６に記憶されたエントリを更新（又は新規作成）するタイミングと同時期であっても、異なっていてもよい。
【００６９】
本第２実施形態にかかる記録再生装置によれば、光ディスク１２に、当該光ディスク１２を収納するマガジン１１のＲＦタグ１３に記憶された情報と同じ情報が記録されているので、ＣＲＣエラーが発生した場合でもコンテンツ情報参照動作を継続して、正しいコンテンツ情報を参照することができる。なお、例えば、ＲＦタグ１３が故障してＣＲＣエラーすら発生しない場合（ＲＦタグ１３と通信できない場合）においても、光ディスク１２にＲＦタグ１３に記憶された情報と同じ情報を記録し、当該情報を読み取ることで、正しいコンテンツ情報を参照することができる。
【００７０】
なお、ＲＦタグ１３に記憶された情報と同じ情報を記録する光ディスク１２は１枚であっても前記効果を得ることができる。但し、この場合、当該情報を記録した光ディスク１２に、あるいは当該光ディスク１２に対して記録又は再生を行うドライブ４に、何らかの異常があった場合には、ＲＦタグ１３に記憶された情報と同じ情報を参照できない可能性がある。このため、マガジン１１内の２枚以上の光ディスク１２に、ＲＦタグ１３に記憶された情報と同じ情報を記録することが好ましい。これにより、ＲＦタグ１３に記憶された情報と同じ情報をより確実に参照することができる。
【００７１】
また、例えば、ユーザが誤ってマガジン１１内の光ディスク１２を不正規な光ディスク（他のマガジン内の光ディスクや本記録再生装置では使用不可能な光ディスク）に交換してしまうことが起こり得る。このため、本第２実施形態にかかる記録再生装置のように、マガジン１１内の複数枚の光ディスク１２のそれぞれに、ＲＦタグ１３に記憶された情報と同じ情報を記録することが好ましい。これにより、各光ディスク１２に記録されたマガジン識別情報を参照することで、不正規な光ディスクの混入を検出することができる。
【００７２】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をすべきではない。
【００７３】
また、前述の実施形態は、本開示における技術を例示するためのものであるから、特許請求の範囲又はその均等の範囲において種々の変更、置き換え、付加、省略などを行うことができる。
【００７４】
例えば、前記実施形態では、容量情報として空き容量情報を用いた例について説明したが、本発明はこれに限定されない。例えば、空き容量情報に代えて、光ディスク１２に記録されているデータの記録済み容量の情報を用いてもよい。
【００７５】
また、前記実施形態では、個体識別情報記憶部としてＲＦタグ１３を用いた例について説明したが、本発明はこれに限定されない。個体識別情報記憶部は、接触、非接触に関わらず、個々の識別情報を記録した記憶部であればよい。
【００７６】
また、前記実施形態では、図９に示すように、マガジン１１内の複数枚の光ディスク１２と同じ数だけドライブ４を設け、当該複数枚の光ディスク１２をそれぞれ別々のドライブ４に供給するように構成したが、本発明はこれに限定されない。例えば、図１０に示すように、ドライブ４を１つ設け、当該ドライブ４に１枚ずつ光ディスク１２を供給するように構成してもよい。
【００７７】
また、前記実施形態では、１つのマガジン１１に複数枚の光ディスク１２が収納されるものとしたが、本発明はこれに限定されない。１つのマガジン１１に１枚の光ディスク１２が収納されるようにしてもよい。
【００７８】
また、前記実施形態では、ＲＦタグ１３や情報記憶部６に、時刻情報も記憶させるようにしたが、本発明はこれに限定されない。必ずしもＲＦタグ１３や情報記憶部６に時刻情報を記憶させる必要はない。但し、光ディスク１２として書き換え型の記録方式でデータを記録可能な記録媒体を用いた場合には、空き容量情報が同じであっても、データの内容が異なる場合がある。この場合、正しいコンテンツ情報を表示できない可能性がある。これに対し、光ディスク２として追記型の記録方式でデータを記録可能な記録媒体（例えば、ＢＤ−Ｒメディア）を用いた場合には、空き容量情報が同じであればデータの内容は必ず同じであるので、時刻情報を記憶する必要性を無くすことができる。
【００７９】
また、前記実施形態では、コンテンツ情報のみが表示部９に表示されるものとしたが、本発明はこれに限定されない。空き容量情報や時刻情報などの他の情報も表示部９に表示されるようにしてもよい。この場合、ユーザは、例えば、コンテンツ情報と空き容量情報の両方を参照して、光ディスク１２に対してデータの再生や新たなデータの記録を行うことができる。
【００８０】
また、前記第２実施形態では、ステップＳＴ１０４（図８参照）において、各ドライブ４が、それぞれ供給された光ディスク１２からマガジン識別情報、空き容量情報、及び時刻情報を読み取るものとしたが、本発明はこれに限定されない。例えば、図１１に示すように、ステップＳＴ１０４において、各ドライブ４が、それぞれ供給された光ディスク１２からマガジン識別情報、空き容量情報、及び時刻情報に加えてコンテンツ情報を読み取り、ステップＳＴ１１２において、それらの情報を読取済みであるか否かを判断するようにしてもよい。ステップＳＴ１０４においてコンテンツ情報まで読み取ることにより、ステップＳＴ１１６（図８参照）を行う必要性を無くすことができる。なお、この場合も、前述したように、必ずしもＲＦタグ１３や情報記憶部６に時刻情報を記憶させる必要はない。
【００８１】
また、前記実施形態では、制御部８が、ホストコンピュータからの指令に従い、供給部３、ドライブ４、表示部９などの各装置の動作を制御するものとしたが、このような制御は、所謂クラウド・コンピューティング・システムを利用して行うこともできる。図１２は、クラウド・コンピューティング・システムを利用して記録再生装置の制御を行う場合のシステム構成の一例を模式的に示す構成図である。
【００８２】
図１２に示すように、クラウド・コンピューティング・システムは、ネットワークＮｗを介してアクセス可能なサーバＳｃ（所謂クラウドサーバ）を備えている。この場合、記録再生装置Ｄｂは、例えば、制御部８に設けられた制御ユニット３０７内にネットワーク通信部３１０を備えている。このネットワーク通信部３１０により、記録再生装置ＤｂがネットワークＮｗを介してクラウドサーバＳｃと通信可能に接続されている。かかるネットワーク通信部３１０は、記録再生装置Ｄｂの制御ユニット３０７内に設けてもよく、或いは制御ユニット３０７とは別に設けてもよい。
【００８３】
記録再生Ｄｂを操作するユーザ端末機Ｐｃも、ネットワークＮｗを介してクラウドサーバＳｃと通信可能に接続されている。かかるユーザ端末機Ｐｃとしては、例えば、マイクロコンピュータを主要部として構成された所謂パーソナルコンピュータで通信機能を有するものを用いることができる。
【００８４】
クラウドサーバＳｃは、例えば、ユーザ端末機Ｐｃを用いて行う所要の制御や演算を実行するためのプログラム、更には、かかる制御や演算に必要なデータ類についても、少なくともその一部を保持しており、ユーザの要求に応じて、その都度必要なプログラムやデータ類をダウンロードし利用に供することができる。
【００８５】
また、図１２に示すように、以上のようなユーザ端末機ＰｃをネットワークＮｗに複数接続するようにしてもよい。また、複数の記録再生装置ＤｂをネットワークＮｗに接続してそれぞれ制御することもできる。
【００８６】
なお、以上の記録再生装置Ｄｂは、ネットワーク通信部３１０を備えてクラウドサーバＳｃを利用して制御される点を除いては、前記実施形態に係る記録再生装置と同様の構成を備え、同様の作動を行うものである。
【００８７】
かかるクラウド・コンピューティング・システムを利用することにより、記録再生装置やユーザ端末機もしくはこれらに付設した記憶装置などにプログラムやデータ類を保持させていた従来に比して、これら機器及び装置の構成を簡素化することが可能になる。利用するプログラムやデータ類が肥大化せざるを得ない場合などには、特に有効である。
【００８８】
なお、クラウドサーバＳｃを、前述のような記録再生装置Ｄｂの制御用途や演算用途に代えて、或いはこれらに加えて、記録再生装置Ｄｂのデータバックアップ用途に供するようにしてもよい。
【００８９】
２０１２年１０月１日に出願された日本国特許出願Ｎｏ．２０１２−２１９１２３号の明細書、図面、および特許請求の範囲の開示内容は、全体として参照されて本明細書の中に取り入れられるものである。
【産業上の利用可能性】
【００９０】
本開示にかかる記録再生装置は、光ディスクに記録された正しいコンテンツ情報を参照することができるので、特に、大容量のデータアーカイバなどの記録再生装置として有用である。
【符号の説明】
【００９１】
１    記録再生装置
２    マガジンストッカー
３    供給部
４    ドライブ
５    リーダライタ（情報取得部）
６    情報記憶部
７    情報比較部
８    制御部
９    表示部
１１    マガジン
１２    光ディスク
１３    ＲＦタグ（個体識別情報記憶部）
１４    領域
【図１】
2014054216.tif 000003
【図２】
2014054216.tif 000004
【図３】
2014054216.tif 000005
【図４】
2014054216.tif 000006
【図５】
2014054216.tif 000007
【図６】
2014054216.tif 000008
【図７】
2014054216.tif 000009
【図８】
2014054216.tif 000010
【図９】
2014054216.tif 000011
【図１０】
2014054216.tif 000012
【図１１】
2014054216.tif 000013
【図１２】
2014054216.tif 000014
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が異なるとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置。
【請求項２】
前記制御部は、前記情報比較部により比較した容量情報が異なるとき、前記記録再生部を制御して前記情報取得部が取得したマガジン識別情報に対応するマガジンの光ディスクから容量情報及びコンテンツ情報を読み取り、前記情報記憶部に記憶される容量情報及びコンテンツ情報を、前記記録再生部が読み取った容量情報及びコンテンツ情報に更新する、請求項１に記載の記録再生装置。
【請求項３】
前記光ディスクには、当該光ディスクを収納するマガジンの個体識別情報記憶部に記憶された情報と同じ情報が記録されている、請求項１又は２に記載の記録再生装置。
【請求項４】
前記制御部は、前記情報取得部が前記マガジン識別情報及び前記容量情報の取得に失敗したとき、前記記録再生部を制御して前記取得に失敗したマガジン識別情報に対応するマガジンの光ディスクからコンテンツ情報を読み取り、当該読み取ったコンテンツ情報を前記表示部に表示させる、請求項３に記載の記録再生装置。
【請求項５】
前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報及び容量情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部を制御して前記取得に失敗したマガジン識別情報に対応するマガジンの光ディスクからコンテンツ情報を読み取り、当該読み取ったコンテンツ情報を前記表示部に表示させる、請求項３に記載の記録再生装置。
【請求項６】
前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報、容量情報、及びコンテンツ情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部が読み取ったコンテンツ情報を前記表示部に表示させるとともに、前記情報記憶部に記憶される容量情報及びコンテンツ情報を、前記記録再生部が読み取った容量情報及びコンテンツ情報に更新する、
請求項３に記載の記録再生装置。
【請求項７】
前記マガジンには、前記光ディスクが複数枚収納され、
前記複数枚の光ディスクには、それぞれ、当該複数枚の光ディスクを収納するマガジンの個体識別情報記憶部に記憶された情報と同じ情報が記録されている、
請求項３〜６のいずれか１つに記載の記録再生装置。
【請求項８】
前記個体識別情報記憶部は、前記記録再生部により前記光ディスクに対してデータが記録された時刻情報をさらに記憶し、
前記情報取得部は、前記個体識別情報記憶部から前記マガジン識別情報、前記容量情報、及び時刻情報を取得し、
前記情報記憶部は、前記光ディスクに記録されたコンテンツ情報と、当該光ディスクを収納するマガジンの個体識別情報記憶部から前記情報取得部が取得したマガジン識別情報、容量情報、及び時刻情報とを互いに関連付けて記憶し、
前記情報比較部は、前記情報取得部が取得した容量情報及び時刻情報と、当該情報取得部が取得したマガジン識別情報と同じマガジン識別情報に関連付けられて前記情報記憶部に記憶された容量情報及び時刻情報とを比較し、
前記制御部は、
前記情報比較部により比較した容量情報及び時刻情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報又は時刻情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させる、
請求項１に記載の記録再生装置。
【手続補正２】
【補正対象書類名】明細書
【補正対象項目名】全文
【補正方法】変更
【補正の内容】
【発明の詳細な説明】
【技術分野】
【０００１】
本開示は、ＣＤ、ＤＶＤ、ＢＤなどの光ディスクに記録されたコンテンツに関する情報（以下、コンテンツ情報という）を参照することができる記録再生装置に関する。
【背景技術】
【０００２】
従来、この種の記録再生装置としては、例えば、特許文献１（特開２００５−３０２１３５号公報）に開示された装置が知られている。
【０００３】
特許文献１には、光ディスクに固有に割り当てられた媒体識別子を含む媒体情報を記憶するＩＣタグを備える光ディスクが開示されている。また、特許文献１には、前記ＩＣタグに記憶された媒体情報から媒体識別子を取得する媒体情報取得部と、光ディスクに記録されたコンテンツ情報を媒体識別子に関連付けして記憶するコンテンツリスト記憶部と、当該コンテンツリスト記憶部から媒体情報取得部が取得した媒体識別子に対応するコンテンツ情報を検索する検索部と、検索部による検索結果を表示部に表示させる表示制御部とを備える記録再生装置が開示されている。
【０００４】
この特許文献１の記録再生装置によれば、ＩＣタグに記憶された媒体識別子を媒体情報取得部に取得させることにより、光ディスクをドライブ（光ディスクに対して記録又は再生を行う装置）に挿入することなく、当該光ディスクに記録されたコンテンツ情報を参照することができる。
【先行技術文献】
【特許文献】
【０００５】
【特許文献１】特開２００５−３０２１３５号公報
【発明の概要】
【発明が解決しようとする課題】
【０００６】
しかしながら、特許文献１の記録再生装置では、コンテンツリスト記憶部に記憶されたコンテンツ情報を表示部に表示するものであるので、表示部に表示されるコンテンツ情報が正しくない場合がある。例えば、光ディスクが他の記録再生装置で使用されて、当該光ディスクのコンテンツ情報が更新されていた場合には、当該更新されたコンテンツ情報がコンテンツリスト記憶部に記憶されていないので、正しいコンテンツ情報（更新されたコンテンツ情報）を参照することができない。
【０００７】
一方、本出願人により、光ディスクを収納する複数のマガジンを備え、当該複数のマガジンのいずれか１つから光ディスクを取り出して任意のドライブに搬送し、当該光ディスクに対して記録又は再生を行う記録再生装置が検討されている。この記録再生装置によれば、マガジンの数や当該マガジンに収納される光ディスクの数を増加させることによりデータ容量を高容量化することができる。
【０００８】
このような構成を有する記録再生装置においては、特に、１台の記録再生装置内に収納される光ディスクの数が多くなるため、正しいコンテンツ情報を参照できないことは大きなデメリットとなる。
【０００９】
本開示は、光ディスクに記録された正しいコンテンツ情報を参照することができる記録再生装置を提供する。
【課題を解決するための手段】
【００１０】
本開示における記録再生装置は、光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させるように構成されている。
【発明の効果】
【００１１】
本開示の記録再生装置によれば、光ディスクに記録された正しいコンテンツ情報を参照することができる。
【図面の簡単な説明】
【００１２】
本開示のこれらと他の目的と特徴は、添付された図面についての好ましい実施形態に関連した次の記述から明らかになる。この図面においては、
【図１】図１は、本開示の第１実施形態にかかる記録再生装置の構成を示す模式図であり、
【図２】図２は、図１の記録再生装置が備えるマガジンの構成を示す模式図であり、
【図３】図３は、図１の記録再生装置が備えるマガジンのＲＦタグに記憶された情報の一例を示す図であり、
【図４】図４は、図１の記録再生装置が備える情報記憶部に記憶された情報の一例を示す図であり、
【図５】図５は、図１の記録再生装置が備える情報記憶部に記憶された情報の他の例を示す図であり、
【図６】図６は、図１の記録再生装置におけるコンテンツ情報参照動作を示すフローチャートであり、
【図７】図７は、本開示の第２実施形態にかかる記録再生装置のマガジンの構成を示す模式図であり、
【図８】図８は、図７の記録再生装置におけるコンテンツ情報参照動作を示すフローチャートであり、
【図９】図９は、供給部がマガジン内の複数枚の光ディスクをそれぞれ別々のドライブに供給する様子を示す模式図であり、
【図１０】図１０は、供給部が複数枚の光ディスクを１枚ずつドライブに供給する様子を示す模式図であり、
【図１１】図１１は、図７の記録再生装置におけるコンテンツ情報参照動作の変形例を示すフローチャートであり、
【図１２】図１２は、クラウド・コンピューティング・システムを利用して記録再生装置の制御を行う場合のシステムの構成の一例を示す構成図である。
【発明を実施するための形態】
【００１３】
本開示の第１態様によれば、光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置を提供する。
【００１４】
本開示の第２態様によれば、前記制御部は、前記情報比較部により比較した容量情報が一致しないとき、前記記録再生部を制御して前記情報取得部が取得したマガジン識別情報に対応するマガジンの光ディスクから容量情報及びコンテンツ情報を読み取り、前記情報記憶部に記憶される容量情報及びコンテンツ情報を、前記記録再生部が読み取った容量情報及びコンテンツ情報に更新する、第１態様に記載の記録再生装置を提供する。
【００１５】
本開示の第３態様によれば、前記光ディスクには、当該光ディスクを収納するマガジンの個体識別情報記憶部に記憶された情報と同じ情報が記録されている、第１又は２態様に記載の記録再生装置を提供する。
【００１６】
本開示の第４態様によれば、前記制御部は、前記情報取得部が前記マガジン識別情報及び前記容量情報の取得に失敗したとき、前記記録再生部を制御して前記取得に失敗したマガジン識別情報に対応するマガジンの光ディスクからコンテンツ情報を読み取り、当該読み取ったコンテンツ情報を前記表示部に表示させる、第３態様に記載の記録再生装置を提供する。
【００１７】
本開示の第５態様によれば、前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報及び容量情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部を制御して前記取得に失敗したマガジン識別情報に対応するマガジンの光ディスクからコンテンツ情報を読み取り、当該読み取ったコンテンツ情報を前記表示部に表示させる、第３態様に記載の記録再生装置を提供する。
【００１８】
本開示の第６態様によれば、前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報、容量情報、及びコンテンツ情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部が読み取ったコンテンツ情報を前記表示部に表示させるとともに、前記情報記憶部に記憶される容量情報及びコンテンツ情報を、前記記録再生部が読み取った容量情報及びコンテンツ情報に更新する、
第３態様に記載の記録再生装置を提供する。
【００１９】
本開示の第７態様によれば、前記マガジンには、前記光ディスクが複数枚収納され、
前記複数枚の光ディスクには、それぞれ、当該複数枚の光ディスクを収納するマガジンの個体識別情報記憶部に記憶された情報と同じ情報が記録されている、
第３〜６態様のいずれか１つに記載の記録再生装置を提供する。
【００２０】
本開示の第８態様によれば、前記個体識別情報記憶部は、前記記録再生部により前記光ディスクに対してデータが記録された時刻情報をさらに記憶し、
前記情報取得部は、前記個体識別情報記憶部から前記マガジン識別情報、前記容量情報、及び時刻情報を取得し、
前記情報記憶部は、前記光ディスクに記録されたコンテンツ情報と、当該光ディスクを収納するマガジンの個体識別情報記憶部から前記情報取得部が取得したマガジン識別情報、容量情報、及び時刻情報とを互いに関連付けて記憶し、
前記情報比較部は、前記情報取得部が取得した容量情報及び時刻情報と、当該情報取得部が取得したマガジン識別情報と同じマガジン識別情報に関連付けられて前記情報記憶部に記憶された容量情報及び時刻情報とを比較し、
前記制御部は、
前記情報比較部により比較した容量情報及び時刻情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報又は時刻情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させる、
第１態様に記載の記録再生装置を提供する。
【００２１】
本発明の記述を続ける前に、添付図面において同じ部品については同じ参照符号を付している。
【００２２】
以下、本開示の実施形態にかかる記録再生装置について図面を参照しながら説明する。
【００２３】
（第１実施形態）
本開示の第１実施形態にかかる記録再生装置について説明する。図１は、本第１実施形態にかかる記録再生装置の構成を示す模式図である。図２は、図１の記録再生装置が備えるマガジンの構成を示す模式図である。
【００２４】
図１に示すように、本第１実施形態にかかる記録再生装置１は、複数のマガジン１１を収納するマガジンストッカー２を備えている。
【００２５】
各マガジン１１は、図２に示すように、複数枚（例えば、１２枚）の光ディスク１２を収納可能に構成されている。本第１実施形態において、光ディスク１２は、書き換え型の記録方式でデータを記録可能な記録媒体（例えば、ＢＤ−ＲＥ）である。マガジン１１は、収納する光ディスク１２の枚数分の記録容量を備えた記録媒体とも言い得る。マガジンストッカー２が収納するマガジン１１の数が増加するほど、記録再生装置１が高容量化することになる。
【００２６】
マガジン１１に収納された複数枚の光ディスク１２は、供給部３により、光ディスク１２に対してデータの記録又は再生を行う記録再生部の一例である複数台（例えば、１２台）のドライブ４に供給される。供給部３は、マガジンストッカー２に収納されたマガジン１１から複数枚の光ディスク１２を取り出し、当該複数枚の光ディスク１２をそれぞれ別々のドライブ４に供給する。
【００２７】
また、各マガジン１１には、個体識別情報記憶部の一例であるＲＦタグ１３が取り付けられている。ＲＦタグ１３とは、非接触で情報の書き込みと読み取りが可能なＩＣタグである。ＲＦタグ１３には、図３に示すように、マガジン識別情報と、容量情報の一例である空き容量情報と、時刻情報とが記憶されている。ここで、マガジン識別情報とは、マガジン１１を識別するための媒体識別情報をいう。また、空き容量情報とは、マガジン１１内の複数枚の光ディスク１２にデータを追加で記録可能な容量の情報をいう。また、時刻情報とは、マガジン１１内の複数枚の光ディスク１２にデータが最後に記録された時刻の情報をいう。
【００２８】
供給部３には、各マガジン１１のＲＦタグ１３に記憶されたマガジン識別情報、空き容量情報、及び時刻情報を取得する情報取得部の一例であるリーダライタ５が設けられている。リーダライタ５は、ＲＦタグ１３に各種情報を書き込むこともできるものである。リーダライタ５が取得した各種情報は、図４及び図５に示すように、ＲＦタグ１３が取り付けられたマガジン１１内の複数枚の光ディスク１２に記録されたコンテンツ情報（例えば、ＡＶデータのタイトルを示す情報）と関連付けられて、情報記憶部６に記憶される。言い換えれば、情報記憶部６は、マガジン１１内の複数枚の光ディスク１２に記録されたコンテンツ情報と、当該マガジン１１のＲＦタグ１３からリーダライタ５が取得した各種情報とを互いに関連付けて記憶する。以下、マガジン識別情報に関連付けられて情報記憶部６に記憶される情報をエントリという。
【００２９】
また、記録再生装置１には、リーダライタ５が取得した空き容量情報及時刻情報と、リーダライタ５が取得したマガジン識別情報と同じマガジン識別情報に関連付けられて情報記憶部６に記憶された空き容量情報及び時刻情報とを比較する情報比較部７が設けられている。情報比較部７の比較結果は、制御部８に入力される。制御部８は、情報比較部７の比較に応じて、コンテンツ情報を含む各種情報を表示する表示部９を制御する。
【００３０】
また、制御部８は、例えば、データを管理するホストコンピュータに接続されている。ホストコンピュータは、オペレータの指示に基づき、指定のマガジン１１内の光ディスク１２へのデータの書き込み又は読み出し等の動作を行うように制御部８に指令を送る。制御部８は、当該指令に従い、供給部３、ドライブ４、表示部９などの各装置の動作を制御する。
【００３１】
次に、本開示の第１実施形態にかかる記録再生装置１において、マガジン１１内の光ディスク１２に記録されたコンテンツ情報を参照するときの動作（以下、コンテンツ情報参照動作）について説明する。
【００３２】
図６は、本開示の第１実施形態にかかる記録再生装置におけるコンテンツ情報参照動作を示すフローチャートである。ここでは、ユーザが、マガジンストッカー２に収納された複数のマガジンの中から、コンテンツ情報を参照したい光ディスク１２を収納するマガジン１１（以下、任意のマガジンという）を選択（指定）したところから説明を開始する。なお、記録再生装置１の各部の動作は、制御部８の制御の下で行われる。
【００３３】
ステップＳＴ１では、リーダライタ５が、任意のマガジン１１に設けられたＲＦタグ１３からマガジン識別情報、空き容量情報、及び時刻情報を取得する。
【００３４】
ステップＳＴ２では、情報比較部７が、リーダライタ５が取得したマガジン識別情報と同じマガジン識別情報を有するエントリを情報記憶部６から検索する。
【００３５】
ステップＳＴ３では、リーダライタ５が取得したマガジン識別情報と同じマガジン識別情報を有するエントリが存在するか否かを判断する。当該エントリが存在しない場合、ステップＳＴ４に進み、当該エントリが存在する場合、ステップＳＴ７に進む。例えば、リーダライタ５が取得したマガジン識別情報がＸＹＺＷである場合（図３参照）、情報記憶部６にはマガジン識別情報がＸＹＺＷであるエントリが存在するので（図４又は図５参照）、ステップＳＴ７に進む。
【００３６】
ステップＳＴ４では、供給部３が、任意のマガジン１１から複数枚の光ディスク１２を取り出し、当該複数枚の光ディスク１２をそれぞれ別々のドライブ４に供給する。
【００３７】
ステップＳＴ５では、各ドライブ４が、それぞれ供給された光ディスク１２からマガジン識別情報、空き容量情報、時刻情報、及びコンテンツ情報を読み取る。
【００３８】
ステップＳＴ６では、情報記憶部６が、ステップＳＴ５にて各ドライブ４が読み取ったマガジン識別情報、空き容量情報、時刻情報、及びコンテンツ情報を互いに関連付けて記憶する。すなわち、情報記憶部６が、任意のマガジン１１に対応するエントリを新規に作成し記憶する。なお、情報記憶部６がエントリを新規に記憶するときは、通常、マガジン１１内の光ディスク１２に何らデータが記録されていないときと考えられる。この場合、新規なエントリのコンテンツ情報の欄は空欄となる（例えば、図４又は図５のマガジン識別情報がＡＢＣＤであるエントリを参照）。ステップＳＴ６の終了後、ステップＳＴ１１に進む。
【００３９】
ステップＳＴ７では、情報比較部７が、リーダライタ５が取得した空き容量情報及び時刻情報と、リーダライタ５が取得したマガジン識別情報と同じマガジン識別情報に関連付けられて情報記憶部６に記憶された空き容量情報及び時刻情報とを比較する。情報比較部７により比較した空き容量情報又は時刻情報が一致しないとき、ステップＳＴ８に進み、情報比較部７により比較した空き容量情報及び時刻情報が一致するとき、ステップＳＴ１１に進む。例えば、リーダライタ５が取得した各種情報が図３に示すものであり、情報記憶部６に記憶された情報が図４に示すものであるとき、空き容量情報及び時刻情報が一致しないので、ステップＳＴ８に進む。一方、リーダライタ５が取得した各種情報が図３に示すものであり、情報記憶部６に記憶された情報が図５に示すものであるとき、空き容量情報及び時刻情報が一致するので、ステップＳＴ１１に進む。
【００４０】
ステップＳＴ８では、供給部３が、任意のマガジン１１から複数枚の光ディスク１２を取り出し、当該複数枚の光ディスク１２をそれぞれ別々のドライブ４に供給する。
【００４１】
ステップＳＴ９では、各ドライブ４が、それぞれ供給された光ディスク１２からマガジン識別情報、空き容量情報、時刻情報、及びコンテンツ情報を読み取る。
【００４２】
ステップＳＴ１０では、情報記憶部６が、ステップＳＴ９にて各ドライブ４が読み取ったマガジン識別情報、空き容量情報、時刻情報、及びコンテンツ情報を互いに関連付けて記憶する。すなわち、情報記憶部６が、記憶している任意のマガジン１１に対応するエントリを更新する。ステップＳＴ１０の終了後、ステップＳＴ１１に進む。
【００４３】
ステップＳＴ１１では、表示部９がコンテンツ情報を表示する。すなわち、ステップＳＴ３にてリーダライタ５が取得したマガジン識別情報と同じマガジン識別情報を有するエントリが存在しなかった場合、ステップＳＴ５にて各ドライブ４が読み取ったコンテンツ情報を表示部９が表示する。また、ステップＳＴ７にて情報比較部７により比較した容量情報及び時刻情報が一致するとき、ステップＳＴ２にてリーダライタ５が取得したマガジン識別情報と同じマガジン識別情報を有するエントリのコンテンツ情報を表示部９が表示する。また、ステップＳＴ７にて情報比較部７により比較した容量情報及び時刻情報が一致しないとき、ステップＳＴ９にて各ドライブ４が読み取ったコンテンツ情報を表示部９が表示する。これにより、ユーザは、任意のマガジン１１内の光ディスク１２に記録されたコンテンツ情報を参照することができる。
【００４４】
本第１実施形態にかかる記録再生装置１は、リーダライタ５が取得した容量情報及び時刻情報と、リーダライタ５が取得したマガジン識別情報と同じマガジン識別情報に関連付けられて情報記憶部６に記憶された容量情報及び時刻情報とを比較する情報比較部７を備えている。例えば、任意のマガジン１１内の光ディスク１２に記録されたコンテンツ情報が他の記録再生装置により更新されている場合、情報比較部７により比較した容量情報及び時刻情報は一致しない。このため、本第１実施形態にかかる記録再生装置１では、情報比較部７により比較した容量情報及び時刻情報が一致しないとき、ドライブ４を制御して情報取得部５が取得したマガジン識別情報に対応するマガジン１１の光ディスク１２からコンテンツ情報を読み取り、当該読み取ったコンテンツ情報を表示部９に表示させるようにしている。これにより、任意のマガジン１１内の光ディスク１２に記録されたコンテンツ情報が他の記録再生装置により更新されている場合であっても、光ディスク１２に記録された正しいコンテンツ情報を参照することが可能になる。
【００４５】
また、任意のマガジン１１内の光ディスク１２に記録されたコンテンツ情報が他の記録再生装置により更新されていない場合、情報比較部７により比較した容量情報及び時刻情報は一致する。このため、本第１実施形態にかかる記録再生装置１では、情報比較部７により比較した容量情報及び時刻情報が一致するとき、情報取得部７が取得したマガジン識別情報と同じマガジン識別情報に関連付けられて情報記憶部６に記憶されたコンテンツ情報を表示部９に表示させるようにしている。これにより、光ディスク１２に記録された正しいコンテンツ情報を参照することを迅速に行うことができる。
【００４６】
なお、ステップＳＴ５又はステップＳＴ９にて各ドライブ４が読み取ったマガジン識別情報、空き容量情報、及び時刻情報とは、リーダライタ５により任意のマガジン１１のＲＦタグ１３に書き込まれる。すなわち、リーダライタ５により任意のマガジン１１のＲＦタグ１３の各種情報が更新される。これにより、任意のマガジン１１のＲＦタグ１３は、正しい情報を記憶することになる。なお、リーダライタ５により任意のマガジン１１のＲＦタグ１３の各種情報を更新するタイミングは、情報記憶部６に記憶されたエントリを更新（又は新規作成）するタイミングと同時期であっても、異なっていてもよい。
【００４７】
《第２実施形態》
本開示の第２実施形態にかかる記録再生装置について説明する。図７は、本第２実施形態にかかる記録再生装置のマガジンの構成を示す模式図である。本第２実施形態にかかる記録再生装置が前記第１実施形態にかかる記録再生装置と異なる点は、複数枚の光ディスク１２のそれぞれに、当該複数枚の光ディスク１２を収納するマガジン１１のＲＦタグ１３に記憶された情報と同じ情報が記録されている点である。図７の領域１４は、ＲＦタグ１３に記憶された情報と同じ情報が記録された領域である。
【００４８】
光ディスク１２のデータ保証期間は、通常５０年である。一方、ＲＦタグ１３のデータ保証期間は、通常１０年である。すなわち、光ディスク１２に記憶されたデータよりも早く、ＲＦタグ１３に記憶されたデータが消えてしまう（あるいは、異なる値に化けてしまう）。このため、光ディスク１２に対して記録又は再生可能であるときに、リーダライタ５がＲＦタグ１３の各種情報の取得に失敗することが起こり得る。このような場合、ＣＲＣエラーが発生する。従来の記録再生装置においてＣＲＣエラーが発生した場合には、装置全体の動作を停止させることが通常である。この場合、光ディスク１２のコンテンツ情報を参照することができない。
【００４９】
これに対して、本第２実施形態にかかる記録再生装置においては、ＣＲＣエラーが発生した場合であっても、以下のコンテンツ情報参照動作を行うようにしている。図８は、本第２実施形態にかかる記録再生装置におけるコンテンツ情報参照動作を示すフローチャートである。
【００５０】
ステップＳＴ１０１では、リーダライタ５が、任意のマガジン１１に設けられたＲＦタグ１３からマガジン識別情報、空き容量情報、及び時刻情報を取得する。
【００５１】
ステップＳＴ１０２では、リーダライタ５によるＲＦタグ１３からの各種情報の取得に際して、ＣＲＣエラーが発生したか否か判断する。ＣＲＣエラーが発生した場合には、ステップＳＴ１０３に進み、ＣＲＣエラーが発生していない場合には、ステップＳＴ１０５に進む。
【００５２】
ステップＳＴ１０３では、供給部３が、任意のマガジン１１から複数枚の光ディスク１２を取り出し、当該複数枚の光ディスク１２をそれぞれ別々のドライブ４に供給する。
【００５３】
ステップＳＴ１０４では、各ドライブ４が、それぞれ供給された光ディスク１２からマガジン識別情報、空き容量情報、及び時刻情報（ＲＦタグ１３に記憶される情報と同じ情報）を読み取る。
【００５４】
ステップＳＴ１０５では、情報比較部７が、各ドライブ４またはリーダライタ５が読み取ったマガジン識別情報と同じマガジン識別情報を有するエントリを情報記憶部６から検索する。
【００５５】
ステップＳＴ１０６では、各ドライブ４またはリーダライタ５が取得したマガジン識別情報と同じマガジン識別情報を有するエントリが存在するか否かを判断する。当該エントリがしない場合、ステップＳＴ１０７に進み、当該エントリが存在する場合、ステップＳＴ１１１に進む。例えば、各ドライブ４が読み取ったマガジン識別情報がＸＹＺＷである場合（図３参照）、情報記憶部６にはマガジン識別情報がＸＹＺＷであるエントリが存在するので（図４又は図５参照）、ステップＳＴ１１１に進む。
【００５６】
ステップＳＴ１０７では、各ドライブ４に光ディスク１２が供給されたか否かを判断する。すなわち、ステップＳＴ１０３が行われたか否かを判断する。各ドライブ４に光ディスク１２が供給されていない場合は、ステップＳＴ１０８に進み、各ドライブ１０４に既に光ディスク１２が供給されている場合は、ステップＳＴ１０９に進む。
【００５７】
ステップＳＴ１０８では、供給部３が、任意のマガジン１１から複数枚の光ディスク１２を取り出し、当該複数枚の光ディスク１２をそれぞれ別々のドライブ４に供給する。
【００５８】
ステップＳＴ１０９では、各ドライブ４が、それぞれ供給された光ディスク１２からマガジン識別情報、空き容量情報、時刻情報、及びコンテンツ情報を読み取る。なお、ステップＳＴ１０３が行われ、ステップＳＴ１０４にて各ドライブ４に供給された光ディスク１２からマガジン識別情報、空き容量情報、及び時刻情報を既に読み取っている場合（ステップＳＴ１０７のＹＥＳの場合）は、それらの情報の読み取りを省略してもよい。
【００５９】
ステップＳＴ１１０では、情報記憶部６が、ステップＳＴ１０９にて各ドライブ４が読み取ったマガジン識別情報、空き容量情報、時刻情報、及びコンテンツ情報を互いに関連付けて記憶する。すなわち、情報記憶部６が、任意のマガジン１１に対応するエントリを新規に作成し記憶する。ステップＳＴ１１０の終了後、ステップＳＴ１１８に進む。
【００６０】
ステップＳＴ１１１では、情報比較部７が、リーダライタ５又は各ドライブ４が取得した空き容量情報及び時刻情報と、リーダライタ５又は各ドライブ４が取得したマガジン識別情報と同じマガジン識別情報に関連付けられて情報記憶部６に記憶された空き容量情報及び時刻情報とを比較する。情報比較部７により比較した空き容量情報及び時刻情報が一致しないとき、ステップＳＴ１１２に進み、情報比較部７により比較した空き容量情報及び時刻情報が一致するとき、ステップＳＴ１１８に進む。
【００６１】
ステップＳＴ１１２では、任意のマガジン１１内の光ディスク１２からマガジン識別情報、空き容量情報、及び時刻情報（ＲＦタグ１３に記憶される情報と同じ情報）を読取済みであるか否かを判断する。すなわち、ステップＳ１０４が行われたか否かを判断する。各種情報を読取済みでないとき、ステップＳ１１３に進み、各種情報を読取済みであるとき、ＳＴ１１６に進む。
【００６２】
ステップＳＴ１１３では、供給部３が、任意のマガジン１１から複数枚の光ディスク１２を取り出し、当該複数枚の光ディスク１２をそれぞれ別々のドライブ４に供給する。
【００６３】
ステップＳＴ１１４では、各ドライブ４が、それぞれ供給された光ディスク１２からマガジン識別情報、空き容量情報、時刻情報、及びコンテンツ情報を読み取る。
【００６４】
ステップＳＴ１１５では、情報記憶部６が、ステップＳＴ１１４にて各ドライブ４が読み取ったマガジン識別情報、空き容量情報、時刻情報、及びコンテンツ情報を互いに関連付けて記憶する。すなわち、情報記憶部６が、記憶している任意のマガジン１１に対応するエントリを更新する。ステップＳＴ１１５の終了後、ステップＳＴ１１８に進む。
【００６５】
ステップＳＴ１１６では、各ドライブ４が、ステップＳＴ１０３にてそれぞれ供給された光ディスク１２からコンテンツ情報（残りの情報）を読み取る。
【００６６】
ステップＳＴ１１７では、情報記憶部６が、ステップＳＴ１０４にて各ドライブ４が読み取ったマガジン識別情報、空き容量情報、及び時刻情報と、ステップＳＴ１１６にて各ドライブ４が読み取ったコンテンツ情報とを互いに関連付けて記憶する。すなわち、情報記憶部６が、記憶している任意のマガジン１１に対応するエントリを更新する。ステップＳＴ１１７の終了後、ステップＳＴ１１８に進む。
【００６７】
ステップＳＴ１１８では、表示部９が、ステップＳＴ１０１にてリーダライタ５が取得したマガジン識別情報と同じマガジン識別情報を有するエントリのコンテンツ情報、あるいは、ステップＳＴ１０９、ステップＳＴ１１４、又はステップＳＴ１１６にて各ドライブ４が読み取ったコンテンツ情報を表示する。これにより、ユーザは、任意のマガジン１１内の光ディスク１２に記憶されたコンテンツ情報を参照することができる。
【００６８】
なお、ステップＳＴ１０４、ステップＳＴ１０９、又はステップＳＴ１１４にて各ドライブ４が読み取ったマガジン識別情報、空き容量情報、及び時刻情報は、リーダライタ５により任意のマガジン１１のＲＦタグ１３及び各光ディスク１２に書き込まれる。すなわち、リーダライタ５により任意のマガジン１１のＲＦタグ１３及び各光ディスク１２の各種情報が更新される。これにより、任意のマガジン１１のＲＦタグ１３及び各光ディスク１２は、正しい情報を記憶することになる。なお、リーダライタ５により任意のマガジン１１のＲＦタグ１３及び各光ディスク１２の各種情報を更新するタイミングは、情報記憶部６に記憶されたエントリを更新（又は新規作成）するタイミングと同時期であっても、異なっていてもよい。
【００６９】
本第２実施形態にかかる記録再生装置によれば、光ディスク１２に、当該光ディスク１２を収納するマガジン１１のＲＦタグ１３に記憶された情報と同じ情報が記録されているので、ＣＲＣエラーが発生した場合でもコンテンツ情報参照動作を継続して、正しいコンテンツ情報を参照することができる。なお、例えば、ＲＦタグ１３が故障してＣＲＣエラーすら発生しない場合（ＲＦタグ１３と通信できない場合）においても、光ディスク１２にＲＦタグ１３に記憶された情報と同じ情報を記録し、当該情報を読み取ることで、正しいコンテンツ情報を参照することができる。
【００７０】
なお、ＲＦタグ１３に記憶された情報と同じ情報を記録する光ディスク１２は１枚であっても前記効果を得ることができる。但し、この場合、当該情報を記録した光ディスク１２に、あるいは当該光ディスク１２に対して記録又は再生を行うドライブ４に、何らかの異常があった場合には、ＲＦタグ１３に記憶された情報と同じ情報を参照できない可能性がある。このため、マガジン１１内の２枚以上の光ディスク１２に、ＲＦタグ１３に記憶された情報と同じ情報を記録することが好ましい。これにより、ＲＦタグ１３に記憶された情報と同じ情報をより確実に参照することができる。
【００７１】
また、例えば、ユーザが誤ってマガジン１１内の光ディスク１２を不正規な光ディスク（他のマガジン内の光ディスクや本記録再生装置では使用不可能な光ディスク）に交換してしまうことが起こり得る。このため、本第２実施形態にかかる記録再生装置のように、マガジン１１内の複数枚の光ディスク１２のそれぞれに、ＲＦタグ１３に記憶された情報と同じ情報を記録することが好ましい。これにより、各光ディスク１２に記録されたマガジン識別情報を参照することで、不正規な光ディスクの混入を検出することができる。
【００７２】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をすべきではない。
【００７３】
また、前述の実施形態は、本開示における技術を例示するためのものであるから、特許請求の範囲又はその均等の範囲において種々の変更、置き換え、付加、省略などを行うことができる。
【００７４】
例えば、前記実施形態では、容量情報として空き容量情報を用いた例について説明したが、本発明はこれに限定されない。例えば、空き容量情報に代えて、光ディスク１２に記録されているデータの記録済み容量の情報を用いてもよい。
【００７５】
また、前記実施形態では、個体識別情報記憶部としてＲＦタグ１３を用いた例について説明したが、本発明はこれに限定されない。個体識別情報記憶部は、接触、非接触に関わらず、個々の識別情報を記録した記憶部であればよい。
【００７６】
また、前記実施形態では、図９に示すように、マガジン１１内の複数枚の光ディスク１２と同じ数だけドライブ４を設け、当該複数枚の光ディスク１２をそれぞれ別々のドライブ４に供給するように構成したが、本発明はこれに限定されない。例えば、図１０に示すように、ドライブ４を１つ設け、当該ドライブ４に１枚ずつ光ディスク１２を供給するように構成してもよい。
【００７７】
また、前記実施形態では、１つのマガジン１１に複数枚の光ディスク１２が収納されるものとしたが、本発明はこれに限定されない。１つのマガジン１１に１枚の光ディスク１２が収納されるようにしてもよい。
【００７８】
また、前記実施形態では、ＲＦタグ１３や情報記憶部６に、時刻情報も記憶させるようにしたが、本発明はこれに限定されない。必ずしもＲＦタグ１３や情報記憶部６に時刻情報を記憶させる必要はない。但し、光ディスク１２として書き換え型の記録方式でデータを記録可能な記録媒体を用いた場合には、空き容量情報が同じであっても、データの内容が異なる場合がある。この場合、正しいコンテンツ情報を表示できない可能性がある。これに対し、光ディスク２として追記型の記録方式でデータを記録可能な記録媒体（例えば、ＢＤ−Ｒメディア）を用いた場合には、空き容量情報が同じであればデータの内容は必ず同じであるので、時刻情報を記憶する必要性を無くすことができる。
【００７９】
また、前記実施形態では、コンテンツ情報のみが表示部９に表示されるものとしたが、本発明はこれに限定されない。空き容量情報や時刻情報などの他の情報も表示部９に表示されるようにしてもよい。この場合、ユーザは、例えば、コンテンツ情報と空き容量情報の両方を参照して、光ディスク１２に対してデータの再生や新たなデータの記録を行うことができる。
【００８０】
また、前記第２実施形態では、ステップＳＴ１０４（図８参照）において、各ドライブ４が、それぞれ供給された光ディスク１２からマガジン識別情報、空き容量情報、及び時刻情報を読み取るものとしたが、本発明はこれに限定されない。例えば、図１１に示すように、ステップＳＴ１０４において、各ドライブ４が、それぞれ供給された光ディスク１２からマガジン識別情報、空き容量情報、及び時刻情報に加えてコンテンツ情報を読み取り、ステップＳＴ１１２において、それらの情報を読取済みであるか否かを判断するようにしてもよい。ステップＳＴ１０４においてコンテンツ情報まで読み取ることにより、ステップＳＴ１１６（図８参照）を行う必要性を無くすことができる。なお、この場合も、前述したように、必ずしもＲＦタグ１３や情報記憶部６に時刻情報を記憶させる必要はない。
【００８１】
また、前記実施形態では、制御部８が、ホストコンピュータからの指令に従い、供給部３、ドライブ４、表示部９などの各装置の動作を制御するものとしたが、このような制御は、所謂クラウド・コンピューティング・システムを利用して行うこともできる。図１２は、クラウド・コンピューティング・システムを利用して記録再生装置の制御を行う場合のシステム構成の一例を模式的に示す構成図である。
【００８２】
図１２に示すように、クラウド・コンピューティング・システムは、ネットワークＮｗを介してアクセス可能なサーバＳｃ（所謂クラウドサーバ）を備えている。この場合、記録再生装置Ｄｂは、例えば、制御部８に設けられた制御ユニット３０７内にネットワーク通信部３１０を備えている。このネットワーク通信部３１０により、記録再生装置ＤｂがネットワークＮｗを介してクラウドサーバＳｃと通信可能に接続されている。かかるネットワーク通信部３１０は、記録再生装置Ｄｂの制御ユニット３０７内に設けてもよく、或いは制御ユニット３０７とは別に設けてもよい。
【００８３】
記録再生Ｄｂを操作するユーザ端末機Ｐｃも、ネットワークＮｗを介してクラウドサーバＳｃと通信可能に接続されている。かかるユーザ端末機Ｐｃとしては、例えば、マイクロコンピュータを主要部として構成された所謂パーソナルコンピュータで通信機能を有するものを用いることができる。
【００８４】
クラウドサーバＳｃは、例えば、ユーザ端末機Ｐｃを用いて行う所要の制御や演算を実行するためのプログラム、更には、かかる制御や演算に必要なデータ類についても、少なくともその一部を保持しており、ユーザの要求に応じて、その都度必要なプログラムやデータ類をダウンロードし利用に供することができる。
【００８５】
また、図１２に示すように、以上のようなユーザ端末機ＰｃをネットワークＮｗに複数接続するようにしてもよい。また、複数の記録再生装置ＤｂをネットワークＮｗに接続してそれぞれ制御することもできる。
【００８６】
なお、以上の記録再生装置Ｄｂは、ネットワーク通信部３１０を備えてクラウドサーバＳｃを利用して制御される点を除いては、前記実施形態に係る記録再生装置と同様の構成を備え、同様の作動を行うものである。
【００８７】
かかるクラウド・コンピューティング・システムを利用することにより、記録再生装置やユーザ端末機もしくはこれらに付設した記憶装置などにプログラムやデータ類を保持させていた従来に比して、これら機器及び装置の構成を簡素化することが可能になる。利用するプログラムやデータ類が肥大化せざるを得ない場合などには、特に有効である。
【００８８】
なお、クラウドサーバＳｃを、前述のような記録再生装置Ｄｂの制御用途や演算用途に代えて、或いはこれらに加えて、記録再生装置Ｄｂのデータバックアップ用途に供するようにしてもよい。
【００８９】
２０１２年１０月１日に出願された日本国特許出願Ｎｏ．２０１２−２１９１２３号の明細書、図面、および特許請求の範囲の開示内容は、全体として参照されて本明細書の中に取り入れられるものである。
【産業上の利用可能性】
【００９０】
本開示にかかる記録再生装置は、光ディスクに記録された正しいコンテンツ情報を参照することができるので、特に、大容量のデータアーカイバなどの記録再生装置として有用である。
【符号の説明】
【００９１】
１    記録再生装置
２    マガジンストッカー
３    供給部
４    ドライブ
５    リーダライタ（情報取得部）
６    情報記憶部
７    情報比較部
８    制御部
９    表示部
１１    マガジン
１２    光ディスク
１３    ＲＦタグ（個体識別情報記憶部）
１４    領域
【手続補正３】
【補正対象書類名】図面
【補正対象項目名】全図
【補正方法】変更
【補正の内容】
【図１】
2014054216.tif 000015
【図２】
2014054216.tif 000016
【図３】
2014054216.tif 000017
【図４】
2014054216.tif 000018
【図５】
2014054216.tif 000019
【図６】
2014054216.tif 000020
【図７】
2014054216.tif 000021
【図８】
2014054216.tif 000022
【図９】
2014054216.tif 000023
【図１０】
2014054216.tif 000024
【図１１】
2014054216.tif 000025
【図１２】
2014054216.tif 000026
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が異なるとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置であって、
前記光ディスクには、当該光ディスクを収納するマガジンの個体識別情報記憶部に記憶された情報と同じ情報が記録され、
前記制御部は、前記情報取得部が前記マガジン識別情報及び前記容量情報の取得に失敗したとき、前記記録再生部を制御して前記取得に失敗したマガジン識別情報に対応するマガジンの光ディスクからコンテンツ情報を読み取り、当該読み取ったコンテンツ情報を前記表示部に表示させる、
記録再生装置。
【請求項２】
光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が異なるとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置であって、
前記光ディスクには、当該光ディスクを収納するマガジンの個体識別情報記憶部に記憶された情報と同じ情報が記録され、
前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報及び容量情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部を制御して前記取得に失敗したマガジン識別情報に対応するマガジンの光ディスクからコンテンツ情報を読み取り、当該読み取ったコンテンツ情報を前記表示部に表示させる、
記録再生装置。
【請求項３】
光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が異なるとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置であって、
前記光ディスクには、当該光ディスクを収納するマガジンの個体識別情報記憶部に記憶された情報と同じ情報が記録され、
前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報、容量情報、及びコンテンツ情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部が読み取ったコンテンツ情報を前記表示部に表示させるとともに、前記情報記憶部に記憶される容量情報及びコンテンツ情報を、前記記録再生部が読み取った容量情報及びコンテンツ情報に更新する、
記録再生装置。
【請求項４】
前記マガジンには、前記光ディスクが複数枚収納され、
前記複数枚の光ディスクには、それぞれ、当該複数枚の光ディスクを収納するマガジンの個体識別情報記憶部に記憶された情報と同じ情報が記録されている、
請求項１〜３のいずれか１つに記載の記録再生装置。
【請求項５】
前記個体識別情報記憶部は、前記記録再生部により前記光ディスクに対してデータが記録された時刻情報をさらに記憶し、
前記情報取得部は、前記個体識別情報記憶部から前記マガジン識別情報、前記容量情報、及び時刻情報を取得し、
前記情報記憶部は、前記光ディスクに記録されたコンテンツ情報と、当該光ディスクを収納するマガジンの個体識別情報記憶部から前記情報取得部が取得したマガジン識別情報、容量情報、及び時刻情報とを互いに関連付けて記憶し、
前記情報比較部は、前記情報取得部が取得した容量情報及び時刻情報と、当該情報取得部が取得したマガジン識別情報と同じマガジン識別情報に関連付けられて前記情報記憶部に記憶された容量情報及び時刻情報とを比較し、
前記制御部は、
前記情報比較部により比較した容量情報及び時刻情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報又は時刻情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させる、
請求項１〜３のいずれか１つに記載の記録再生装置。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１５
【補正方法】削除
【補正の内容】
【手続補正５】
【補正対象書類名】明細書
【補正対象項目名】００１６
【補正方法】変更
【補正の内容】
【００１６】
本開示の第１態様によれば、光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が異なるとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置であって、
前記光ディスクには、当該光ディスクを収納するマガジンの個体識別情報記憶部に記憶された情報と同じ情報が記録され、
前記制御部は、前記情報取得部が前記マガジン識別情報及び前記容量情報の取得に失敗したとき、前記記録再生部を制御して前記取得に失敗したマガジン識別情報に対応するマガジンの光ディスクからコンテンツ情報を読み取り、当該読み取ったコンテンツ情報を前記表示部に表示させる、
記録再生装置を提供する。
【手続補正６】
【補正対象書類名】明細書
【補正対象項目名】００１７
【補正方法】変更
【補正の内容】
【００１７】
本開示の第２態様によれば、光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が異なるとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置であって、
前記光ディスクには、当該光ディスクを収納するマガジンの個体識別情報記憶部に記憶された情報と同じ情報が記録され、
前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報及び容量情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部を制御して前記取得に失敗したマガジン識別情報に対応するマガジンの光ディスクからコンテンツ情報を読み取り、当該読み取ったコンテンツ情報を前記表示部に表示させる、
記録再生装置を提供する。
【手続補正７】
【補正対象書類名】明細書
【補正対象項目名】００１８
【補正方法】変更
【補正の内容】
【００１８】
本開示の第３態様によれば、光ディスクを収納する複数のマガジンであって、マガジン識別情報と前記光ディスクの容量情報とを記憶する個体識別情報記憶部をそれぞれ備える複数のマガジンと、
前記光ディスクに対してデータの記録又は再生を行う記録再生部と、
前記個体識別情報記憶部に記憶された前記マガジン識別情報及び前記容量情報を取得する情報取得部と、
前記光ディスクに記録されたコンテンツ情報と、当該光ディスクを収納するマガジンの個体識別情報記憶部から前記情報取得部が取得したマガジン識別情報及び容量情報とを互いに関連付けて記憶する情報記憶部と、
前記情報取得部が取得した容量情報と、当該情報取得部が取得したマガジン識別情報と同じマガジン識別情報に関連付けられて前記情報記憶部に記憶された容量情報とを比較する情報比較部と、
前記コンテンツ情報を表示する表示部と、
前記情報比較部の比較結果に応じて前記表示部を制御する制御部と、
を備え、
前記制御部は、
前記情報比較部により比較した容量情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報が異なるとき、前記記録再生部を制御して前記情報取得部が取得したマガジン識別情報に対応するマガジンの光ディスクからコンテンツ情報を読み取り、当該読み取ったコンテンツ情報を表示部に表示させる、
記録再生装置であって、
前記光ディスクには、当該光ディスクを収納するマガジンの個体識別情報記憶部に記憶された情報と同じ情報が記録され、
前記制御部は、前記情報取得部が前記マガジン識別情報及び前記容量情報の取得に失敗したとき、前記記録再生部を制御して前記取得に失敗したマガジン識別情報に対応するマガジンの光ディスクからマガジン識別情報、容量情報、及びコンテンツ情報を読み取り、
前記情報比較部は、前記記録再生部が読み取った容量情報と、当該記録再生部が読み取ったマガジン識別情報と同じマガジン識別情報に関連付けられて前記情報記憶部に記憶された容量情報とを比較し、
前記制御部は、
前記情報比較部により比較した容量情報が一致するとき、前記記録再生部が読み取ったコンテンツ情報を前記表示部に表示させ、
前記情報比較部により比較した容量情報が異なるとき、前記記録再生部が読み取ったコンテンツ情報を前記表示部に表示させるとともに、前記情報記憶部に記憶される容量情報及びコンテンツ情報を、前記記録再生部が読み取った容量情報及びコンテンツ情報に更新する、
記録再生装置を提供する。
【手続補正８】
【補正対象書類名】明細書
【補正対象項目名】００１９
【補正方法】変更
【補正の内容】
【００１９】
本開示の第４態様によれば、前記マガジンには、前記光ディスクが複数枚収納され、
前記複数枚の光ディスクには、それぞれ、当該複数枚の光ディスクを収納するマガジンの個体識別情報記憶部に記憶された情報と同じ情報が記録されている、
第１〜３態様のいずれか１つに記載の記録再生装置を提供する。
【手続補正９】
【補正対象書類名】明細書
【補正対象項目名】００２０
【補正方法】変更
【補正の内容】
【００２０】
本開示の第５態様によれば、前記個体識別情報記憶部は、前記記録再生部により前記光ディスクに対してデータが記録された時刻情報をさらに記憶し、
前記情報取得部は、前記個体識別情報記憶部から前記マガジン識別情報、前記容量情報、及び時刻情報を取得し、
前記情報記憶部は、前記光ディスクに記録されたコンテンツ情報と、当該光ディスクを収納するマガジンの個体識別情報記憶部から前記情報取得部が取得したマガジン識別情報、容量情報、及び時刻情報とを互いに関連付けて記憶し、
前記情報比較部は、前記情報取得部が取得した容量情報及び時刻情報と、当該情報取得部が取得したマガジン識別情報と同じマガジン識別情報に関連付けられて前記情報記憶部に記憶された容量情報及び時刻情報とを比較し、
前記制御部は、
前記情報比較部により比較した容量情報及び時刻情報が一致するとき、前記情報取得部が取得したマガジン識別情報と同じマガジン識別情報に関連付けられて前記情報記憶部に記憶されたコンテンツ情報を前記表示部に表示させ、
前記情報比較部により比較した容量情報又は時刻情報が一致しないとき、前記記録再生部を制御して前記情報取得部が取得したマガジン識別情報に対応するマガジンの光ディスクからコンテンツ情報を読み取り、当該読み取ったコンテンツ情報を表示部に表示させる、
第１〜３態様のいずれか１つに記載の記録再生装置を提供する。
【国際調査報告】
2014054216.tif 000027
2014054216.tif 000028